(57)【要約】【課題】木造建築の柱に適した立体的な装飾部材を提供する。【解決手段】角材の長手方向の一端を切り欠いて、相互対向する上部舌片１４及び下部舌片１５、並びに、上部舌片１４の下端面及び下部舌片１５の上端面と連結する円筒面の一部を内周面に有する嵌合凹部１６を設けた本体１０と、前記嵌合凹部１６に内嵌され接着された球体２０とを具える装飾部材１である。前記上部舌片１４には下方に膨出する第１膨出部１４ａが設けられ、前記上部舌片１４より短尺とされた下部舌片１５には、上方に膨出する第２膨出部１５ａが設けられる。【選択図】図１
0003173028.tif 000002
【実用新案登録請求の範囲】
【請求項１】
角材の長手方向の一端を切り欠いて、相互対向する上部舌片及び下部舌片、並びに、上部舌片の下端面及び下部舌片の上端面と連結する円筒面の一部を内周面に有する嵌合凹部を設けた本体と、
前記嵌合凹部に内嵌され接着された球体と
を具え、
前記下部舌片は前記上部舌片より短尺とされ、
前記上部舌片には下方に膨出する第１膨出部を設け、
前記下部舌片には上方に膨出する第２膨出部を設けたことを特徴とする装飾部材。
【請求項２】
本体の少なくとも一部の稜を切り欠いて、当該稜を形成する２面にそれぞれ垂直な微小面と、四分円形状の断面を有し前記微小面を連結する外湾面とを形成したことを特徴とする請求項１に記載の装飾部材。
【請求項３】
本体の長手方向における前記一端とは逆の端面に、ほぞを突設したことを特徴とする請求項１又は請求項２に記載の装飾部材。
【請求項４】
本体を短手方向に穿って取付用穴を設け、ほぞの端面と前記取付用穴とを連通する貫通孔を穿設したことを特徴とする請求項１乃至請求項３の何れか１項に記載の装飾部材。
【考案の詳細な説明】
【技術分野】
【０００１】
本考案は、木造建築の柱に適した装飾部材に関する。
【背景技術】
【０００２】
建物の外壁，柱等に対する装飾として、彫りの深いものや立体的なものが望まれる場合がある。木造建築の柱も同様であり、例えば、長尺体の柱本体とこの柱本体の周囲に取り付けられた複数個の装飾材とからなる装飾柱であって、前記装飾材は装飾材本体とこの装飾材本体の内面から水平方向に突設した取付片とからなり、この柱本体の周囲に取り付けられた複数個の装飾材本体の内面の水平方向の長さの合計が柱本体の外面の周囲長より若干短くなされ、この複数個の装飾材本体が内面を柱本体に向けて並べられ、取付片が柱本体に固定具で取り付けられていることを特徴とする装飾柱が開示されている（例えば、特許文献１参照）。
【先行技術文献】
【特許文献】
【０００３】
【特許文献１】特開２０００−２７４０２号公報
【考案の概要】
【考案が解決しようとする課題】
【０００４】
しかしながら、上記特許文献１記載の装飾柱を初め、従来は、薄板状の装飾材で柱を囲繞して装飾する技術が一般的であった。かかる技術によっては立体的な装飾を施すことは困難であり、可能な装飾も限られていた。
【０００５】
上記問題点に鑑み、本考案は、木造建築の柱に適した立体的な装飾部材を提供することを課題とする。
【課題を解決するための手段】
【０００６】
上記課題を解決する第１の考案は、
角材の長手方向の一端を切り欠いて、相互対向する上部舌片及び下部舌片、並びに、上部舌片の下端面及び下部舌片の上端面と連結する円筒面の一部を内周面に有する嵌合凹部を設けた本体と、
前記嵌合凹部に内嵌され接着された球体と
を具え、
前記下部舌片は前記上部舌片より短尺とされ、
前記上部舌片には下方に膨出する第１膨出部を設け、
前記下部舌片には上方に膨出する第２膨出部を設けた装飾部材である。
【０００７】
第２の考案は、本体の少なくとも一部の稜を切り欠いて、当該稜を形成する２面にそれぞれ垂直な微小面と、四分円形状の断面を有し前記微小面を連結する外湾面とを形成した上記装飾部材である。
【０００８】
第３の考案は、本体の長手方向における前記一端とは逆の端面に、ほぞを突設した上記第１又は第２の考案の装飾部材である。
【０００９】
第４の考案は、本体を短手方向に穿って取付用穴を設け、ほぞの端面と前記取付用穴とを連通する貫通孔を穿設した、上記第１乃至第３の考案の何れかの装飾部材である。
【考案の効果】
【００１０】
本考案の装飾部材は、その立体的な形状によって、木造建築の柱を装飾することができる。当該装飾部材は、玉を咥えた龍の頭部を連想させる美麗な外観を有するから、荘厳な印象を与え、特に玄関の柱の装飾に適する。
【００１１】
当該装飾部材は、ほぞとほぞ穴とを嵌合し、更に貫通孔に挿通されたねじにナットを螺嵌することによって、柱に取り付けられる。したがって、薄板状の装飾材とは異なり、安定に固定され、長期に亘ってその美麗な外観を愉しむことができる。
【図面の簡単な説明】
【００１２】
【図１】本考案の装飾部材を示す斜視図である。
【図２】本考案の装飾部材を示す背面図である。
【図３】装飾部材の取付構造を示す斜視図である。
【図４】装飾部材の取付構造を示す側方視断面図である。
【図５】図４のＡ−Ａ線断面図である。
【図６】装飾部材，ねじ，及びナットを示す組み立て斜視図である。
【考案を実施するための形態】
【００１３】
以下に、本考案を実施するための形態を、実施例を示す図面を参照しつつ詳細に説明するが、本考案はこれに限定されるものではない。
【実施例】
【００１４】
本考案の装飾部材は、図１乃至図６に示される様に、
角材の長手方向の一端を切り欠いて、相互対向する上部舌片１４及び下部舌片１５、並びに、上部舌片１４の下端面及び下部舌片１５の上端面と連結する円筒面の一部を内周面に有する嵌合凹部１６を設けた本体１０と、
前記嵌合凹部１６に内嵌され接着された球体２０と
を具え、
前記下部舌片１５は前記上部舌片１４より短尺とされ、
前記上部舌片１４には下方に膨出する第１膨出部１４ａを設け、
前記下部舌片１５には上方に膨出する第２膨出部１５ａを設けた装飾部材１である。
【００１５】
本体１０は、角材を切削して作製される。角材の短手方向の略中央に、当該角材の軸に垂直で左右両側面に至る略円柱状の孔を穿設し、角材の長手方向の一端面の略中央部から前記孔に至る部分を切削することにより、上部舌片１４，下部舌片１５，及び嵌合凹部１６が形成される。
【００１６】
上部舌片１４は、下方に向け膨出する第１膨出部１４ａを有し、突出端の上端から第１膨出部１４ａを経て嵌合凹部１６に至る緩やかな曲面で形成されている。同様に下部舌片１５は、上方に向け膨出する第２膨出部１５ａを有し、突出端の下端から第２膨出部１５ａを経て嵌合凹部１６に至る緩やかな曲面で形成されている。下部舌片１５の突出長さは、上部舌片１４のそれに比して短くされている。
【００１７】
本体１０の長手方向における、上部舌片１４，下部舌片１５，及び嵌合凹部１６を設けた前記一端とは逆の端面には、上下両端に至るほぞ１１が突設されている。本体１０の上端面は穿たれ、略直方体状の取付用穴１２が設けられている。更に、ほぞ１１の端面と前記取付用穴１２とを連通する貫通孔１３が穿設されている。取付用穴１２は、必ずしも本体１０の上端面を穿って設けられることに限られず、本体１０の長手方向と垂直な方向に穿って設けられていれば良い。取付用穴１２はやや美観を損ねるため、看者が容易に視認できない位置に設けられることが好ましい。例えば、柱４の軒近くの高い位置に装飾部材１を取り付ける場合には、取付用穴１２は、図示される様に本体１０の上端面を穿って設けられることが好ましい。
【００１８】
ほぞ１１を突設した端面の外周を除き、本体１０の全ての稜は切り欠かれている。より詳しくは、当該稜を形成する２面にそれぞれ垂直な微小面１７，１７と、四分円形状の断面を有し前記微小面１７，１７を連結する外湾面１８とが形成されている。
【００１９】
球体２０は、本体１０と同様に木材で作製される。球体２０は、嵌合凹部１６の内周面を構成する円筒面の一部と等しい直径を有しており、前記嵌合凹部１６に嵌入されると共にその内周面に接着されることにより、本体１０に取り付けられる。
【００２０】
上記装飾部材は、玉を咥えた龍の頭部を連想させる美麗な外観を有しており、荘厳な印象を与え、特に木造建築の玄関の柱の装飾に適する。
【００２１】
かかる装飾部材１を柱４に取り付ける際には、柱４に、ほぞ穴及び該ほぞ穴と連通する穿孔を設ける。そして、前記ほぞ穴にほぞ１１を嵌入すると共に、前記穿孔と貫通孔１３とに挿通され取付用穴１２に至るねじ２にナット３を螺嵌する。ねじ２の種類は特に限定されず、平ねじ，皿ねじ，木ねじ，コーチねじ，六角ボルト等のねじを用いることができる。前記穿孔及び貫通孔１３は、必ずしもほぞ１１を前記ほぞ穴に嵌入する前に設けられる必要は無く、ほぞ１１を前記ほぞ穴に嵌入して接着した後にドリルで穿設し、又は、ねじ２を取り付けることによって形成することもできる。
【００２２】
装飾部材１は、好ましくは、柱４の梁又は桁（以下これらを横架材５と総称する）が連結する面とは逆の面に、前記横架材５と略同一高さで取り付けられる。それによって、装飾材１と横架材５とが連続している様に見え、より美麗な外観を与える。この場合には、装飾材１と同様のほぞ５ａ，取付用穴５ｂ，及び貫通孔を横架材５に設け、取付用穴５ｂから取付用穴１２に至るねじ２の両端にナット３，３を螺嵌することにより、装飾部材１を取り付ければ良い。この場合には、前記したねじ以外に、いもねじ，両ねじボルト等の、螺旋状の溝を両端に設けたねじを用いることもできる。好ましくは、軸の中間部に拡径部２ａを有するねじ２を用い、一方のナット３が緩んでも、他方のナット３による固定に影響を与えない様に構成する。かかる拡径部２ａを有するねじ２は、例えば、コーチねじの頭部にいもねじを溶接することによって得られる。図示される拡径部２ａは、ナット３，３と略同径の六角柱状であるが、その形状は特に限定されない。また、ねじ２の高さを変えることにより、１本の柱４の相隣る面に装飾部材１，１をそれぞれ取り付けることもできる（図３乃至図５参照）。
【符号の説明】
【００２３】
１  装飾部材
２  ねじ
２ａ  拡径部
３  ナット
４  柱
５  横架材
５ａ，１１  ほぞ
５ｂ，１２  取付用穴
１０  本体
１３  貫通孔
１４  上部舌片
１４ａ  第１膨出部
１５  下部舌片
１５ａ  第２膨出部
１６  嵌合凹部
１７  微小面
１８  外湾面
２０  球体
【図１】
0003173028.tif 000003
【図２】
0003173028.tif 000004
【図３】
0003173028.tif 000005
【図４】
0003173028.tif 000006
【図５】
0003173028.tif 000007
【図６】
0003173028.tif 000008